【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を前記記録材の印字面に応じて設定し、前記ニップ部で前記記録材を挟持搬送するときに、前記第一バイアスと前記第二バイアスを印加するよう制御する制御手段と、
を有することを特徴とする加熱装置。
【請求項２】 互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を環境温度に応じて設定し、前記ニップ部で前記記録材を挟持搬送するときに、前記第一バイアスと前記第二バイアスを印加するよう制御する制御手段と、
を有することを特徴とする加熱装置。
【請求項３】 互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を画像濃度設定に応じて設定し、前記ニップ部で前記記録材を挟持搬送するときに、前記第一バイアスと前記第二バイアスを印加するよう制御する制御手段と、
を有することを特徴とする加熱装置。
【請求項４】 前記加熱部材は加熱体とフィルムを有し、前記フィルムを介した前記加熱体の熱でトナー像を加熱して前記記録材に定着させることを特徴とする請求項１から３のいずれかに記載の加熱装置。
【請求項５】  加熱体としてセラミックヒータを使用する請求項４に記載の加熱装置。
【請求項６】  前記第一のバイアス印加手段、第二のバイアス印加手段にて、印加バイアスを複数値に可変する機能を有することを特徴とする請求項１から５のいずれかに記載の加熱装置。
【請求項７】  請求項１から６のいずれかに記載の加熱装置を用いて、記録材上に形成したトナー像を定着させることを特徴とする画像形成装置。
【手続補正２】
【補正対象書類名】明細書
【補正対象項目名】００１０
【補正方法】変更
【補正の内容】
【００１０】
【課題を解決するための手段】
本発明は、互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を前記記録材の印字面に応じて設定し、前記ニップ部で前記記録材を挟持搬送するときに、前記第一バイアスと前記第二バイアスを印加するよう制御する制御手段と、
を有することを特徴とする加熱装置、である。
この構成により、印字面に応じた、トナー飛び散りの少ない高品質な画像を実現することが可能となる。
また、本発明は、互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を環境温度に応じて設定し、前記ニップ部で前記記録材を挟持搬送するときに、前記第一バイアスと前記第二バイアスを印加するよう制御する制御手段と、
を有することを特徴とする加熱装置、である。
この構成により、環境温度に応じた、トナー飛び散りの少ない高品質な画像を実現することが可能となる。
また、本発明は、互いに当接させた加熱部材と加圧部材とで形成されるニップ部にトナー像を担持させた記録材を導入して挟持搬送させてトナー像を加熱して記録材に定着させる加熱装置において、
前記加圧部材に第一バイアスを印加する第一のバイアス印加手段と、
前記加熱部材に第二バイアスを印加する第二のバイアス印加手段と、
前記第一バイアスと前記第二バイアスの少なくとも一方のバイアス値を画像濃度設定に応じて設定し、前記ニップ部で前記記録材を挟持搬送するときに、前記第一バイアスと前記第二バイアスを印加するよう制御する制御手段と、
を有することを特徴とする加熱装置、である。
この構成により、画像濃度設定に応じた、トナー飛び散りの少ない高品質な画像を実現することが可能となる。
【手続補正３】
【補正対象書類名】明細書
【補正対象項目名】００８９
【補正方法】変更
【補正の内容】
【００８９】
以上、本発明の様々な例と実施例が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【手続補正４】
【補正対象書類名】明細書
【補正対象項目名】００９０
【補正方法】削除
【補正の内容】
【手続補正５】
【補正対象書類名】明細書
【補正対象項目名】００９１
【補正方法】削除
【補正の内容】
【手続補正６】
【補正対象書類名】明細書
【補正対象項目名】００９２
【補正方法】削除
【補正の内容】
【手続補正７】
【補正対象書類名】明細書
【補正対象項目名】００９３
【補正方法】削除
【補正の内容】
【手続補正８】
【補正対象書類名】明細書
【補正対象項目名】００９４
【補正方法】削除
【補正の内容】
【手続補正９】
【補正対象書類名】明細書
【補正対象項目名】００９５
【補正方法】削除
【補正の内容】
【手続補正１０】
【補正対象書類名】明細書
【補正対象項目名】００９６
【補正方法】削除
【補正の内容】
【手続補正１１】
【補正対象書類名】明細書
【補正対象項目名】００９７
【補正方法】削除
【補正の内容】
【手続補正１２】
【補正対象書類名】明細書
【補正対象項目名】００９８
【補正方法】削除
【補正の内容】
【手続補正１３】
【補正対象書類名】明細書
【補正対象項目名】００９９
【補正方法】削除
【補正の内容】
【手続補正１４】
【補正対象書類名】明細書
【補正対象項目名】０１００
【補正方法】削除
【補正の内容】
【手続補正１５】
【補正対象書類名】明細書
【補正対象項目名】０１０１
【補正方法】削除
【補正の内容】
【手続補正１６】
【補正対象書類名】明細書
【補正対象項目名】０１０２
【補正方法】削除
【補正の内容】
【手続補正１７】
【補正対象書類名】明細書
【補正対象項目名】０１０３
【補正方法】削除
【補正の内容】
【手続補正１８】
【補正対象書類名】明細書
【補正対象項目名】０１０４
【補正方法】削除
【補正の内容】
【手続補正１９】
【補正対象書類名】明細書
【補正対象項目名】０１０５
【補正方法】削除
【補正の内容】